【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
通信システムであって、
複数の端末と、
複数のネットワークを管理する管理装置と、
を含み、
前記複数の端末のうち、前記管理装置が接続されている第１ネットワークに接続している第１端末は、
前記第１ネットワークとは異なる第２ネットワークに接続するための接続要求を前記管理装置に送信する第１送信手段と、
前記第１端末が前記第２ネットワークに接続したときに形成しうる複数のトポロジーのうちの、所定のトポロジーを示すネットワーク構成情報を前記管理装置から受信する第１受信手段と、
前記受信したネットワーク構成情報を前記第２ネットワークに参加している複数の端末に通知する通知手段と、
前記第２ネットワークに参加している複数の端末とともに前記ネットワーク構成情報にしたがった該第２ネットワークを再構築する再構築手段と
を含み、
前記管理装置は、
前記接続要求を前記第１端末から受信する第２受信手段と、
前記第１端末が前記第２ネットワークに接続したときに形成しうる複数のトポロジーのうちの、所定のトポロジーを示すネットワーク構成情報を前記第１端末へ送信する第２送信手段と
を含むことを特徴とする通信システム。
【請求項２】
前記管理装置は、
前記第２ネットワークにアクセスポイントとして動作可能な複数の端末が存在しているか否かを判別する判別手段と、
前記第２ネットワークにアクセスポイントとして動作可能な複数の端末が存在している場合に、アクセスポイントとして動作する端末を他の端末に切り替えたときに形成されるトポロジーの通信帯域を算出する算出手段と、
前記算出した通信帯域と、現在のトポロジーの通信帯域とに対応した前記所定のトポロジーを決定する決定手段と
を備え、
前記第２送信手段は、前記決定手段により決定したトポロジーを示すネットワーク構成情報を前記第１端末へ送信する
ことを特徴とする請求項１に記載の通信システム。
【請求項３】
前記管理装置は、
前記第２ネットワークにアクセスポイントとして動作可能な複数の端末が存在しない場合、前記第１の端末による前記第２ネットワークへの接続を拒否又は現在のトポロジーを維持したままで前記第１の端末の前記第２ネットワークへの接続を許可する
ことを特徴とする請求項１に記載の通信システム。
【請求項４】
前記管理装置は、
前記第１端末と前記第２ネットワークに参加している端末とのセキュリティ情報に対応した、前記第２ネットワークを再構築する際のパラメータを決定することを特徴とする請求項１又は２に記載の通信システム。
【請求項５】
前記接続要求は、前記第１端末の正当性を示す認証情報を含み、
前記管理装置は、
前記第１端末を前記第２ネットワークへ参加させるか否かを判定するために、前記接続要求から取得した前記認証情報を用いて認証処理を実行することを特徴とする請求項１ないし４のいずれか１項に記載の通信システム。
【請求項６】
前記第１端末は、
前記ネットワーク構成情報の正当性を示す認証情報を、前記ネットワーク構成情報とともに前記第２ネットワークへ送信し、
前記第２ネットワークに参加している他の端末は、前記第１端末から受信した前記ネットワーク構成情報を用いて該第２ネットワークを再構築するか否かを判定するために、前記認証情報を用いて認証処理を実行することを特徴とする請求項１ないし５のいずれか１項に記載の通信システム。
【請求項７】
前記第１端末は、
前記第２ネットワークの再構築が完了したか否かを確認する確認手段と、
前記第２ネットワークの再構築が完了すると、前記第１ネットワークへ接続する接続手段と、
前記第１ネットワークを介して前記管理装置へ前記第２ネットワークの再構築が完了したことを示すメッセージを送信する第３送信手段と、
を含むことを特徴とする請求項１ないし６のいずれか１項に記載の通信システム。
【請求項８】
複数の端末と、前記複数のネットワークを管理する管理装置とを含む通信システムの通信方法であって、
前記複数の端末のうち、前記管理装置が接続されている第１ネットワークに接続している第１端末は、前記第１ネットワークとは異なる第２ネットワークに接続するための接続要求を前記管理装置に送信し、
前記管理装置が、前記第２ネットワークに接続するための接続要求を前記第１端末から受信し、
前記管理装置が、前記第１端末が前記第２ネットワークに接続したときに形成しうる複数のトポロジーのうちの、所定のトポロジーを示すネットワーク構成情報を前記第１端末へ送信し
前記第１端末が、前記ネットワーク構成情報を受信し、
前記第１端末が、前記受信したネットワーク構成情報を前記第２ネットワークに参加している複数の端末に通知し、
前記第１端末が、前記第２ネットワークに参加している複数の端末とともに前記ネットワーク構成情報にしたがった該第２ネットワークを再構築する
ことを特徴とする通信方法。
【請求項９】
複数のネットワークを管理する管理装置を含む通信システムにおける端末であって、
前記管理装置が接続する前記第１ネットワークとは異なる第２ネットワークに接続するための接続要求を前記管理装置に送信する第１送信手段と、
前記第１端末が前記第２ネットワークに接続したときに形成しうる複数のトポロジーのうちの、所定のトポロジーを示すネットワーク構成情報を前記管理装置から受信する受信手段と、
前記受信したネットワーク構成情報を前記第２ネットワークに参加している複数の端末に通知する通知手段と、
前記第２ネットワークに参加している複数の端末とともに前記ネットワーク構成情報にしたがった該第２ネットワークを再構築する再構築手段と
を含むことを特徴とする端末。
【請求項１０】
複数のネットワークを管理する管理装置であって、
前記管理装置が接続している第１ネットワークにさらに接続している第１端末が送信した、該第１ネットワークとは異なる第２ネットワークに接続するための接続要求を受信する受信手段と、
前記第１端末が前記第２ネットワークに接続したときに形成しうる複数のトポロジーのうちの、所定のトポロジーを示すネットワーク構成情報を前記第１端末へ送信する送信手段と
を含むことを特徴とする管理装置。
【手続補正２】
【補正対象書類名】明細書
【補正対象項目名】００１０
【補正方法】変更
【補正の内容】
【００１０】
本発明は、例えば、通信システムであって、
複数の端末と、
複数のネットワークを管理する管理装置と、
を含み、
前記複数の端末のうち、前記管理装置が接続されている第１ネットワークに接続している第１端末は、
前記第１ネットワークとは異なる第２ネットワークに接続するための接続要求を前記管理装置に送信する第１送信手段と、
前記第１端末が前記第２ネットワークに接続したときに形成しうる複数のトポロジーのうちの、所定のトポロジーを示すネットワーク構成情報を前記管理装置から受信する第１受信手段と、
前記受信したネットワーク構成情報を前記第２ネットワークに参加している複数の端末に通知する通知手段と、
前記第２ネットワークに参加している複数の端末とともに前記ネットワーク構成情報にしたがった該第２ネットワークを再構築する再構築手段と
を含み、
前記管理装置は、
前記接続要求を前記第１端末から受信する第２受信手段と、
前記第１端末が前記第２ネットワークに接続したときに形成しうる複数のトポロジーのうちの、所定のトポロジーを示すネットワーク構成情報を前記第１端末へ送信する第２送信手段と
を含むことを特徴とする。
【手続補正３】
【補正対象書類名】明細書
【補正対象項目名】００３２
【補正方法】変更
【補正の内容】
【００３２】
第２ネットワーク参加要求メッセージＭ６０１を受信した管理装置１０９は、無線通信装置１０１が第２ネットワークに接続したときに形成しうる複数のトポロジーのうち、通信帯域が相対的に最良となるトポロジーを決定する。管理装置１０９は、決定したトポロジーを示すネットワーク構成情報を生成する。例えば、管理装置１０９は、第２ネットワーク参加要求メッセージＭ６０１から通信相手を特定し、特定した通信相手が属するネットワークを特定し、特定したネットワークの管理データをＲＡＭから読み出す。管理データは、現在有効な第２ネットワークの構成情報そのものであってもよい。
【手続補正４】
【補正対象書類名】明細書
【補正対象項目名】００７７
【補正方法】変更
【補正の内容】
【００７７】
また、第２ネットワーク内でアクセスポイントとして動作する端末を他の端末に切り替えたときに形成されるトポロジーの通信帯域を比較することで、通信帯域が相対的に最良となるトポロジーが選択される。すなわち、デュアルモード端末が複数存在すればトポロジーの変更が可能となるため、ある端末が新規に参加してきたときの最良のトポロジーも現在のトポロジーとは異なる可能性がある。よって、潜在的に形成可能な複数のトポロジーについてそれぞれ通信帯域を算出すれば、より良好なトポロジーを決定しやすくなる。もちろん、現在のトポロジーが最良であれば、トポロジーやアクセスポイントを変更する必要はない。